【手続補正書】
【提出日】平成23年2月18日(2011.2.18)
【手続補正１】
【補正対象書類名】特許請求の範囲
【補正対象項目名】全文
【補正方法】変更
【補正の内容】
【特許請求の範囲】
【請求項１】
暗時の基準信号を出力するための複数の画素を有するオプティカルブラック領域における欠陥画素から出力された信号を正常画素から出力された信号に基づいて補正する信号補正部を備え、
前記オプティカルブラック領域は、複数の画素ブロックを有し、
前記複数の画素ブロックのそれぞれは、画素内に含まれる同一機能を有する１以上の素子の相対位置が互いに異なる複数の画素を含み、
前記信号補正部は、前記オプティカルブラック領域の欠陥画素から出力された信号を、前記オプティカルブラック領域における前記欠陥画素が含まれる画素ブロックと異なる他の画素ブロック内の正常画素であって画素内に含まれる同一機能を有する１以上の素子の相対位置が前記欠陥画素と等しい画素から出力された信号に基づいて補正する
ことを特徴とする撮像システム。
【請求項２】
前記信号補正部は、前記オプティカルブラック領域の欠陥画素から出力された信号を、前記オプティカルブラック領域における前記欠陥画素が含まれる画素ブロックと異なる他の画素ブロック内の正常画素であって画素内に含まれる同一機能を有する１以上の素子の相対位置が前記欠陥画素と等しい複数の画素から出力された信号に基づいて補正する
ことを特徴とする請求項１に記載の撮像システム。
【請求項３】
前記１以上の素子は、光電変換素子を含む
ことを特徴とする請求項１又は２に記載の撮像システム。
【請求項４】
前記１以上の素子は、前記光電変換素子に加えてトランジスタを含む
ことを特徴とする請求項３に記載の撮像システム。
【請求項５】
前記トランジスタは、
前記画素ブロックにおける前記複数の画素のそれぞれから出力された信号を増幅する増幅用トランジスタと、
前記増幅用トランジスタの入力部の電位を基準値に設定するリセット用トランジスタと、
を含む
ことを特徴とする請求項４に記載の撮像システム。
【請求項６】
前記信号補正部は、前記オプティカルブラック領域における前記欠陥画素が含まれる画素ブロックと異なる他の画素ブロック内の正常画素であって画素内に含まれる同一機能を有する１以上の素子の相対位置の等しい複数の画素から出力された信号の平均値を用いて補正する
ことを特徴とする請求項２に記載の撮像システム。
【請求項７】
暗時の基準信号を出力するための複数の画素を有するオプティカルブラック領域における欠陥画素から出力された信号を正常画素から出力された信号に基づいて補正する信号補正部を備え、
前記オプティカルブラック領域は、複数の画素ブロックを有し、
前記複数の画素ブロックのそれぞれは、画素内に含まれる同一機能を有する複数のトランジスタの相対位置が互いに異なる複数の画素を含み、
前記信号補正部は、前記オプティカルブラック領域の欠陥画素から出力された信号を、前記オプティカルブラック領域における前記欠陥画素が含まれる画素ブロックと異なる他の画素ブロック内の正常画素であって画素内に含まれる同一機能を有する複数のトランジスタの相対位置が前記欠陥画素と等しい画素から出力された信号に基づいて補正する
ことを特徴とする撮像システム。
【請求項８】
前記オプティカルブラック領域と、前記オプティカルブラック領域に隣接した有効領域とを有する撮像装置と、
前記オプティカルブラック領域における各画素から出力された信号と、画素のアドレス情報とを記録するメモリと、
をさらに備え、
前記信号補正部は、前記メモリを参照して、欠陥画素から出力された信号を正常画素から出力された信号に基づいて補正する
ことを特徴とする請求項１から７のいずれか１項に記載の撮像システム。
【請求項９】
暗時の基準信号を出力するための複数の画素を有するオプティカルブラック領域における欠陥画素から出力された信号を正常画素から出力された信号に基づいて補正する信号補正部を備え、
前記オプティカルブラック領域は、複数の画素ブロックを有し、
前記複数の画素ブロックのそれぞれは、画素構造が互いに異なる複数の画素を含み、
前記信号補正部は、前記オプティカルブラック領域の欠陥画素から出力された信号を、前記オプティカルブラック領域における前記欠陥画素が含まれる画素ブロックと異なる他の画素ブロック内の正常画素であって画素構造が前記欠陥画素と等しい画素から出力された信号に基づいて補正する
ことを特徴とする撮像システム。
【請求項１０】
暗時の基準信号を出力するための複数の画素を有するオプティカルブラック領域における欠陥画素から出力された信号を正常画素から出力された信号に基づいて補正する信号補正部を有する信号処理回路であって、
前記オプティカルブラック領域は、複数の画素ブロックを有し、
前記複数の画素ブロックのそれぞれは、画素内に含まれる同一機能を有する１以上の素子の相対位置が互いに異なる複数の画素を含み、
前記信号補正部は、前記オプティカルブラック領域の欠陥画素から出力された信号を、前記オプティカルブラック領域における前記欠陥画素が含まれる画素ブロックと異なる他の画素ブロック内の正常画素であって画素内に含まれる同一機能を有する１以上の素子の相対位置が前記欠陥画素と等しい画素から出力された信号に基づいて補正する
ことを特徴とする信号処理回路。
【請求項１１】
暗時の基準信号を出力するための複数の画素を有するオプティカルブラック領域における欠陥画素から出力された信号を正常画素から出力された信号に基づいて補正する信号補正部を有する信号処理回路であって、
前記オプティカルブラック領域は、複数の画素ブロックを有し、
前記複数の画素ブロックのそれぞれは、画素構造が互いに異なる複数の画素を含み、
前記信号補正部は、前記オプティカルブラック領域の欠陥画素から出力された信号を、前記オプティカルブラック領域における前記欠陥画素が含まれる画素ブロックと異なる他の画素ブロック内の正常画素であって画素構造が前記欠陥画素と等しい画素から出力された信号に基づいて補正する
ことを特徴とする信号処理回路。
【請求項１２】
暗時の基準信号を出力するための複数の画素であって画素内に含まれ同一機能を有する１以上の素子の相対位置が互いに異なる複数の画素をそれぞれ含む複数の画素ブロックを有するオプティカルブラック領域における欠陥画素から出力された信号を補正するための信号処理方法であって、
対象とする画素から出力された信号が異常出力であるか正常出力であるかを判定する第１のステップと、
前記第１のステップで前記対象とする画素から出力された信号が正常出力であると判定された場合、前記対象とする画素から出力された信号と、正常画素のアドレスとしての前記対象とする画素のアドレスとを記録する第２のステップと、
前記第１のステップで前記対象とする画素から出力された信号が異常出力であると判定された場合、欠陥画素のアドレスとしての前記対象とする画素のアドレスを判定する第３のステップと、
前記第２のステップで得られた正常画素のアドレスと前記第３のステップで得られた欠陥画素のアドレスとを基に、前記オプティカルブラック領域の欠陥画素から出力された信号を、前記オプティカルブラック領域における前記欠陥画素が含まれる画素ブロックと異なる他の画素ブロック内の正常画素であって画素内に含まれる同一機能を有する１以上の素子の相対位置が前記欠陥画素と等しい画素から出力された信号に基づいて補正する第４のステップと、
を含むことを特徴とする信号処理方法。
【請求項１３】
暗時の基準信号を出力するための複数の画素であって画素構造が互いに異なる複数の画素をそれぞれ含む複数の画素ブロックを有するオプティカルブラック領域における欠陥画素から出力された信号を補正するための信号処理方法であって、
対象とする画素から出力された信号が異常出力であるか正常出力であるかを判定する第１のステップと、
前記第１のステップで前記対象とする画素から出力された信号が正常出力であると判定された場合、前記対象とする画素から出力された信号と、正常画素のアドレスとしての前記対象とする画素のアドレスとを記録する第２のステップと、
前記第１のステップで前記対象とする画素から出力された信号が異常出力であると判定された場合、欠陥画素のアドレスとしての前記対象とする画素のアドレスを判定する第３のステップと、
前記第２のステップで得られた正常画素のアドレスと前記第３のステップで得られた欠陥画素のアドレスとを基に、前記オプティカルブラック領域の欠陥画素から出力された信号を、前記オプティカルブラック領域における前記欠陥画素が含まれる画素ブロックと異なる他の画素ブロック内の正常画素であって画素構造が前記欠陥画素と等しい画素から出力された信号に基づいて補正する第４のステップと、
を含むことを特徴とする信号処理方法。
【請求項１４】
有効領域における光電変換素子を含む有効画素から出力された信号を、非有効領域における光電変換素子を含まない非有効画素から出力された信号に基づいて補正する信号補正部を備え、
前記有効領域は、複数の有効画素ブロックを有し、
前記複数の有効画素ブロックのそれぞれは、画素内に含まれる素子のうち、光電変換素子以外の、同一機能を有する１以上の素子の相対位置が互いに異なる複数の有効画素を含み、
前記非有効領域は、複数の非有効画素ブロックを有し、
前記複数の非有効画素ブロックのそれぞれは、画素内に含まれる素子のうち、光電変換素子以外の、同一機能を有する１以上の素子の相対位置が互いに異なる複数の非有効画素を含み、
前記信号補正部は、前記有効領域の有効画素から出力された信号を、前記非有効領域における非有効画素であって、画素内に含まれる素子のうち、光電変換素子以外の、同一機能を有する１以上の素子の相対位置が前記有効画素と等しい画素から出力された信号に基づいて補正する
ことを特徴とする撮像システム。
【請求項１５】
有効画素の加算信号を生成する第１の加算部と、
非有効画素の加算信号を生成する第２の加算部と、
をさらに備え、
前記信号補正部は、前記有効領域の第１の有効画素から出力された信号と第２の有効画素から出力された信号とを加算することにより前記第１の加算部が生成した有効画素の加算信号を、画素内に含まれる素子のうち、光電変換素子以外の、同一機能を有する１以上の素子の相対位置が前記第１の有効画素に等しい第１の非有効画素から出力された信号と前記第２の有効画素に等しい第２の非有効画素から出力された信号とを加算することにより前記第２の加算部が生成した非有効画素の加算信号に基づいて補正する
ことを特徴とする請求項１４に記載の撮像システム。